(57)【特許請求の範囲】
【請求項１】
建物の換気を行うために屋外に連通される換気通路の屋外側開口部に装着される建物の換気通路用キャップ装置であって、キャップ本体と、このキャップ本体の外周に外側に向けて傾斜して設けられ、当該キャップ本体に降りそそがれた雨、雪を受けて、これらの雨、雪を前記建物の外壁表面から外側に離れた位置で排出する水切り部材とを備えて構成され、この水切り部材は、前記キャップ本体に対して着脱可能となっており、前記キャップ本体は、一端部が前記換気装置の換気通路に差し込まれる円筒状の挿入部と、この挿入部の他端部に連続するとともに周縁部を有するフランジ部と、このフランジ部に連続し、かつ、径方向の任意の一方向に開口部が形成されたフードカバー部とを有し、この開口部の下方に、前記水切り部材が前記キャップ本体のフランジ部の周縁部内側から外側に突出して設けられており、前記水切り部材は、前記フランジ部の周縁部内側裏側に挿入されて押し当てられるときに当該フランジ部の周縁部と係止しあう係止部を備えて構成されていることを特徴とする建物の換気通路用キャップ装置。
【請求項２】
請求項１に記載の建物の換気通路用キャップ装置において、前記水切り部材は、前記フランジ部の周縁部内側裏側に挿入され押し当てられる当接部と、この当接部から前記フランジ部の外周一部を覆いかつ外側に突出する受け部とを有し、前記当接部は、前記フランジ部に沿った円弧状に形成されており、前記係止部を有することを特徴とする建物の換気通路用キャップ装置。
【請求項３】
請求項１または請求項２に記載の建物の換気通路用キャップ装置において、前記水切り部材と前記キャップ本体との間には、一面がこれらの部材のうちのいずれか一方に固着され、他面は他方に当接されて、これらの部材間への水の浸入を防止する防水弾性部材が介在されていることを特徴とする建物の換気通路用キャップ装置。
【請求項４】
請求項３に記載の建物の換気通路用キャップ装置において、前記防水弾性部材の前記他面は、この防水弾性部材と前記キャップ本体とのうちのいずれか一方に張り付けられた両面テープによって固定されることを特徴とする建物の換気通路用キャップ装置。
【発明の詳細な説明】
【０００１】
【発明の属する技術分野】
本発明は、建物の換気通路用キャップ装置に係り、室内の換気、通風を行うために設けられた換気装置等の通路であるダクト先端に取り付けて使用される。
【０００２】
【背景技術】
建物の室内の換気、通風等を行うために、建物内に換気装置等を設けることが多い。この換気装置等は、屋外に連通するダクトを備え、ダクトの先端にはキャップ本体であるベントキャップが取り付けられている。
このベントキャップは、例えば換気扇に通じるダクトの先端に差し込む円筒状の挿入部と、この挿入部に連続するフランジ部と、丸型、角型等のフードカバー部を有する形状のものが一般的であり、フランジ部を建物の外壁に明けられた屋外側開口に被せて取り付けられている。また、フードカバー部には開口部が形成されており、この開口部はベントキャップを取り付けたとき下向きとなるように配置されている。従って、このようなベントキャップでは、換気、通風が効率よく行われ、一方、ベントキャップに降りそそいだ雨や雪はフードカバー部を伝わって下方に流される。
【０００３】
ところが、このようなベントキャップは、建物の外壁にフランジ部を押し当てて取り付けられるので外壁に密着している。このため、ベントキャップに降りそそいだ雨や雪はフードカバー部を伝わり、そこから外壁に伝わり、外壁に沿って流れ落ちている。この際、フードカバー部の表面に付着した塵等も雨や雪と共に洗い流されるため、外壁表面に汚れた水跡が残り、外壁が汚くなるという問題があった。
特に、多雪地帯ではフードカバー部から流れ落ちた水滴が凍って氷柱となり、この氷柱が外壁に張り付き、凍害を引き起こすものとなっていた。
【０００４】
そこで、このような問題点を解決しようと、ベントキャップに水切り板を設けた水切り板付きベントキャップが提案されている。
このベントキャップは、フランジ部の下部に外側に向けた水切り板をベントキャップに一体的に取り付けたものである。
【０００５】
【発明が解決しようとする課題】
ところで、住宅建設地域によって、例えば多雪、多雨地域と、小雪、小雨地域のように気象条件は異なるものである。そして、それぞれの地域に応じて設計、施工の違いも生じてくる。従って、ベントキャップを取り付ける場合でも、地域に応じた施工が求められて当然である。例えば多雪、多雨地域では、水切り板付きベントキャップの取り付けが必要不可欠であるが、そうでない地域では、必ずしも水切り板付きのベントキャップでなくてもよい場合もある。また、ユーザーによっては、水切り板付きのベントキャップを不要とする人もある。
このため、必要に応じて水切り板なしと水切り板付きのベントキャップの使い分けができるように、常に２種類を用意しておかなければならず、製作や管理が面倒であるという問題があった。
【０００６】
本発明の目的は、１種類のキャップ本体を状況に応じて使い分けができ、製作や管理が容易となる建物の換気通路用キャップ装置を提供することにある。
【０００７】
【課題を解決するための手段】
本発明に係る建物の換気通路用キャップ装置は、図面を参照して説明すると、図２に示すように、建物２の換気を行うために屋外に連通される換気通路１９の屋外側開口部に装着される建物の換気通路用キャップ装置１であって、キャップ本体２５と、このキャップ本体２５の外周に外側に向けて傾斜して設けられ、当該キャップ本体２５に降りそそがれた雨、雪５０を受けて、これらの雨、雪５０を建物１の外壁１２表面から外側に離れた位置で排出する水切り部材３５とを備えて構成され、この水切り部材３５は、キャップ本体２５に対して着脱可能となっており、キャップ本体２５は、一端部が換気装置１５の換気通路１９に差し込まれる円筒状の挿入部２６と、この挿入部２６の他端部に連続するとともに周縁部２７Ａを有するフランジ部２７と、このフランジ部２７に連続し、かつ、径方向の任意の一方向に開口部２５Ａが形成されたフードカバー部２８とを有し、この開口部２５Ａの下方に、水切り部材３５がキャップ本体２５のフランジ部２７の周縁部２７Ａ内側から外側に突出して設けられており、図３に示すように、水切り部材３５は、フランジ部２７の周縁部２７Ａ内側裏側に挿入されて押し当てられるときにフランジ部２７の周縁部２７Ａと係止しあう係止部３６Ｂを備えて構成されていることを特徴とするものである。
【０００８】
以上において、水切り部材３５の形状は、キャップ本体２５に降りそそがれた雨、雪５０を受けて建物１の外壁１２表面から外側に離れた位置で排出できるものであれば、どんなものでもよく、このような、水切り部材３５はキャップ本体２５の下部に設けることが好ましい。また、換気通路用キャップ装置１は、複数の建物ユニットを組み合わせて建てるユニット式建物ばかりでなく、パネル工法による建物等にも用いることができ、建物の換気とは、例えば台所の換気装置用や居室、屋根裏等の換気、通風を含む。さらに、キャップ本体２５および水切り部材３５は、耐水性のあるステンレス製とすることが好ましい。
【０００９】
このような本発明では、水切り部材３５がキャップ本体２５に対して着脱可能となっているので、水切り部材３５が必要な場合は取り付け、不要な場合は取り外してキャップ本体２５だけを取り付ければよく、１種類のキャップ本体２５を状況に応じて使い分けができる。また、１種類のキャップ本体２５と１種類の水切り部材３５とを用意しておけばよく、水切り部材付きの換気通路用キャップ装置と、水切り部材なしの換気通路用キャップ装置との２種類を製作しなくてもよいので、製作や管理が容易となる。
【００１１】
以上において、フードカバー部２８の開口部２５Ａは、キャップ本体２５が取り付けられたとき、下向きとなるように配置されることが好ましい。
【００１２】
このような本発明では、水切り部材３５が、フランジ部２７の周縁部２７Ａの内側から外側に突出して設けられているので、キャップ本体２５のフードカバー部２８に降りそそいだ雨や雪がフランジ部２７の室内側端縁に伝わったとしても、水切り部材３５で確実に外側に排出できる。
【００１３】
本発明において、図３に示すように、水切り部材３５は、フランジ部２７の周縁部２７Ａ内側裏側に挿入され押し当てられる当接部３６と、この当接部３６からフランジ部２７の外周一部を覆いかつ外側に突出する受け部３７とを有し、当接部３６は、フランジ部３６に沿った円弧状に形成されており、係止部３６Ｂを有しているものであってもよい。
【００１４】
このような本発明では、当接部３６の形状が、フランジ部３６に沿った円弧状となっているので、取り付けやすく、作業性がよい。また、受け部３７はフランジ部２７の外周一部を覆って外側に突出しているので、フードカバー部に降りそそいだ雨等が、フランジ部２７の室内側端縁に伝わっても、受け部３７で受けられるので、雨等は換気通路１９側に浸入することはない。
【００１５】
本発明において、図３に示すように、水切り部材３５とキャップ本体２５との間には、一面がこれらの部材３５，２５のうちのいずれか一方に固着され、他面は他方に当接されて、これらの部材３５，２５間への水の浸入を防止する防水弾性部材４０が介在されていてもよい。
【００１６】
以上において、防水弾性部材４０として、ブチルゴムを使用することが好ましいが、これに限らず、防水性、弾性を有るものであれば、例えば合成樹脂製部品を使用してもよい。
このような本発明では、水切り部材３５とキャップ本体２５との間に防水弾性部材４０が介在されているので、これらの部材間での防水がより確実となる。
【００１７】
本発明において、図３に示すように、防水弾性部材４０の他面は、この防水弾性部材４０とキャップ本体２５とのうちのいずれか一方に張り付けられた両面テープ４１によって固定されるものとしてもよい。
【００１８】
以上において、両面テープ４１は、防水弾性部材４０の他面全面にわたるように設けてもよく、例えば２〜３箇所で固定するように設けてもよい。
このような本発明では、両面テープ４１を防水弾性部材４０とキャップ本体２５とのうちのいずれか一方に張り付けておいて、他方を取り付ける際に両面テープ４１の剥離紙を取り外し、水切り部材３５をキャップ本体２５に押し付ければよいので、水切り部材３５をワンタッチで取り付けることができ、取り付け作業が容易となる。
【００１９】
【発明の実施の形態】
以下に本発明の一実施形態を図面に基づいて説明する。
図１に示すように、本実施形態の建物の換気通路用キャップ装置（以下、単にキャップ装置という）１は、ユニット式建物２における台所１４の換気を行うために使用されている。
【００２０】
ユニット式建物２は、予め工場で生産された複数の下階建物ユニット３、および上階建物ユニット４を、現場で組み合わせることにより建てられる。また、これらの建物ユニット３，４は、四隅に立設される４本の柱５と、これらの柱５の上端間同士および下端間同士を結合する各４本の上梁６、下梁７を有する骨組み８を備えて形成されている。そして、この骨組み８に、天井面材９や床面材１０、内壁１１や外壁１２等が取り付けられ、これにより、各建物ユニット３，４が形成される。
【００２１】
台所１４のレンジ１６の上方には、フード１７内の換気扇１８と、この換気扇１８に接続された換気通路としての換気ダクト１９とを備えた換気装置１５が設けられ、換気ダクト１９は、サポート２０で支持され、かつ、前記外壁１２を貫通して外気側に臨んでいる。
【００２２】
キャップ装置１は、図２にも示すように、キャップ本体であるベントキャップ２５と水切り部材３５とを備え、ベントキャップ２５は、開口部２５Ａを下向きにして換気ダクト１９の先端に設けられている。
ベントキャップ２５は例えばステンレス製の薄板で形成され、換気ダクト１９に差し込む円筒状の挿入部２６と、この挿入部２６に連続するフランジ部２７と、フランジ部２７に連続する丸型のフードカバー部２８を有し、これらが一体的に形成されている。そして、外壁１２の表面に形成された窪み部１２Ａ内に、フランジ部２７の室内側端面を押し当てて取り付けられるようになっている。
【００２３】
挿入部２６の外形寸法は、換気ダクト１９の内径寸法より小さく形成されており、その途中には、図２，３に示すように、複数個（例えば４か所）の固定部２６Ａが形成されている。この固定部２６Ａは、挿入部２６の外周一部をその長さ方向に沿って切り起こして形成され、切り起こされた突片先端がフードカバー部２８側に位置した形状となっている。
【００２４】
４個の固定部２６Ａにおける突片外形寸法は、換気ダクト１９の内径寸法より大きく形成されている。従って、ベントキャップ２５を換気ダクト１９に取り付けるとき、挿入部２６をダクト１９に差し込めば、固定部２６Ａの突片がダクト１９内径に押されながらも所定位置まで移動可能である。そして、所定位置では固定部２６Ａの突片がその弾性力で反発し、ダクト１９を内径から押圧することとなり、これにより、ベントキャップ２５は換気ダクト１９にワンタッチで取り付けられることになる。
【００２５】
フランジ部２７は、図３にも示すように、挿入部２６の長手方向と平行な周縁部２７Ａを有する浅皿状に形成され、その外形寸法は、換気ダクト１９が挿通される外壁１２の建物の屋外側の開口部である孔１２Ａの内径寸法より大きく形成されている。また、フランジ部２７の厚さ寸法は、外壁１２の窪み部１２Ａの深さ寸法とほぼ同じ寸法となっている。
【００２６】
フードカバー部２８は、フランジ部２７の前方に突出した丸型形状となっており、ベントキャップ２５を取り付ける際、開口部２５Ａは下向きになるように取り付けられる。また、フランジ部２７とフードカバー部２８との境界には、図２に示すように、複数枚の羽根２９が、ベントキャップ２５を取り付けた状態で上下に所定間隔をもって斜め下向きに設けられ、これによりガラリ部３０が形成されている。
【００２７】
さらに、図２，３に示すように、挿入部２６の室内側端部には、板状の防火ダンパ３１が設けられている。この防火ダンパ３１は、例えば火災時に挿入部２６の開口を塞げるようになっている。そして、通常時には、挿入部２６の径方向に架けわたされた軸３４に支持されるとともに、半分は挿入部２６内に収められ、残りの部分は挿入部２６の開口から外側に突出している。また、残りの部分の一方側面は、例えばヒューズを含んで形成された支持部材３２で挿入部２６の外周に固定されている。他方側面には、軸３４に巻かれたばね３３が当接され、このばね３３により支持部材３２とは反対（矢印Ａ）方向側に回動可能に付勢されている。
【００２８】
このため、火災時の高熱で支持部材３２のヒューズが溶けて支持部材３２による支持が解除されたとき、ばね３３付勢により防火ダンパ３１が矢印Ａ方向に回動し、これにより、挿入部２６の開口が塞がれるようになっている。
【００２９】
図３，４に示すように、前記水切り部材３５は、ベントキャップ２５の下部に着脱可能に取り付けられている。この水切り部材３５は、例えば薄板のステンレス製とされ、フランジ部２７の周縁部２７Ａの内側に挿入されて押し当てられる当接部３６と、この当接部３６からフランジ部２７の外周一部を覆い、かつ、外側に突出する受け部３７とを有して形成されている
【００３０】
当接部３６は、ベントキャップ２５のフランジ部２７の周縁部２７Ａ内側と挿入部２６の外周とに沿った円弧状に形成され、一面３６Ａが図２に示すように外壁１２の前記窪み部１２Ａに当接されるようになっている。また、当接部３６の両端部に一面３６Ａに対して直角、かつ、一面３６Ａとは反対側に折り曲げられた係止部３６Ｂが設けられている。この係止部３６Ｂは、水切り部材３５がフランジ部２７の周縁部２７Ａ内側に挿入されて押し当てられるとき、係止部３６Ｂの位置と対向する周縁部２７Ａと係止しあい、水切り部材３５を正常な姿勢に維持するストッパとなっている。
【００３１】
受け部３７は、図４に示すように、当接部３６の一面３６Ａ、かつ、当接部３６の外周部に沿って、当接部３６との間で断面Ｌ字状となるように取り付けられ、当接部３６の外周部の両端から、係止部３６Ｂ側に半円形状に突出した形状とされている。このような受け部３７は、フランジ部２７の外周の一部を覆うように配置され、水切り部材３５が取り付けられたとき、図２等に示すように、フランジ部２７においてフードカバー部２８の開口部２５Ａ側の下部に配置され、このとき、受け部３７先端は、外壁１２の表面から外側に離れており、かつ、図中斜め右側に下がって傾斜している。
従って、フードカバー部２８に降りそそいだ雨５０等は、フードカバー部２８の表面を伝わって水切り部材３５の受け部３７に集まり、その水滴５１は、受け部３７の先端から落下、排出される。
【００３２】
このようなベントキャップ２５と水切り部材３５との間には、防水弾性部材４０が介在されている。
すなわち、図３，４に示すように、当接部３６の内側面には防水弾性部材４０が接着等により取り付けられている。この防水弾性部材４０は、断面正方形状の例えばブチルゴムで形成され、当接部３６の幅寸法よりわずかに狭い幅寸法を有するとともに、内周をフランジ部２７の内周に沿わせて円弧状に、かつ、前記係止部３６Ｂ近傍まで伸びて取り付けられている。
【００３３】
一方、ベントキャップ２５のフランジ部２７の内側面には、図３に示すように、水切り部材３５を取り付けるための両面テープ４１が、所定範囲にわたって貼り付けられている。この両面テープ４１の表面の剥離紙は、水切り部材３５を取り付ける直前に剥がされるようになっており、その後で、水切り部材３５の防水弾性部材４０を押し付けて接着させるようになっている。このため、防水弾性部材４０を圧縮するので、水切り部材３５とフランジ部２７との間での防水性が高度に確保される。
【００３４】
次に、本実施形態のキャップ装置１の取り付け手順を説明する。
まず、ベントキャップ２５のフランジ部２７の内側面に両面テープ４１を貼り付ける。その後、両面テープ４１の表面の剥離紙を剥がして、当接部３６に固着された防水弾性部材４０を両面テープ４１に押し当て接着させることにより、水切り部材３５をベントキャップ２５に取り付ける。この際、当接部３６の係止部３６Ｂをフランジ部２７の内側に差し込むとともに、受け部３７でフランジ部２７の外周一部を覆うようにし、かつ、受け部３７がフードカバー２８の開口部２５Ａの下方に位置するように配置する。
【００３５】
次いで、下階建物ユニット３の外壁１２にまで延びている換気ダクト１９に、ベントキャップ２５の挿入部２６を、ベントキャップ２５のフランジ部２７の周縁部２７Ａの室内側１面、および水切り部材３５の一面３６Ａが外壁１２の窪み部１２Ａの表面に当接するまで差し込む。
【００３６】
ベントキャップ２５が所定の位置に固定された後、外壁１２の窪み部１２Ａと、フランジ部２７の周縁部２７Ａの室内側１面および水切り部材３５との隙間にコーキング４３を充填する。
【００３７】
前述のような本実施の形態によれば次のような効果がある。
▲１▼水切り部材３５は、ベントキャップ２５に着脱可能となっているので、水切り部材３５が必要な場合は取り付け、不要な場合は取り外せばよく、これにより、１種類のベントキャップ２５を状況に応じて使い分けができる。従って、水切り部材付きの換気通路用キャップ装置と、水切り部材なしの換気通路用キャップ装置との２種類を製作しなくてもよいので、製作や管理が容易となる。
【００３８】
▲２▼水切り部材３５の受け部３７は円弧状に形成されているので、ベントキャップ２５のフードカバー部２８に降りそそいだ雨等が、中央部に集まりやすく、また、水切り部材３５の受け部３７は、フランジ部３６に対して右下がりに傾斜した状態で取り付けられているので、雨等を外壁から離れた位置で容易に排出できる。従って、外壁に汚れた水跡等が残らない。
【００３９】
▲３▼水切り部材３５とフランジ部２７との間には、防水弾性部材４０が介在されており、さらに、防水弾性部材４０を圧縮して水切り部材３５を取り付けるので、水切り部材３５とフランジ部２７との防水性を確保できる。
【００４０】
▲４▼両面テープ４１をベントキャップ２５に貼り付けてあり、水切り部材３５を取り付ける際に、この両面テープ４１の剥離紙を取り外し、防水弾性部材４０をベントキャップ２５に押し付ければよいので、水切り部材３５をベントキャップ２５にワンタッチで取り付けることができ、これにより、取り付け作業が容易となる。
【００４１】
▲５▼水切り部材３５の当接部３６は、ベントキャップ２５のフランジ部２７に沿った円弧状となっているので、取り付けやすく、作業性がよい。
【００４２】
なお、本発明は前述の実施形態に限定されるものではなく、本発明の目的を達成できる範囲であれば次に示すような変形形態を含むものである。
例えば、前記実施の形態では、防水弾性部材４０を水切り部材３５の当接部３６に取り付け、ベントキャップ２５のフランジ部２７側に両面テープ４１を貼り付けて、水切り部材３５を取り付けていたが、これに限らず、両者を逆にしてもよく、つまり、防水弾性部材４０をフランジ部２７側に取り付け、両面テープ４１を水切り部材３５の当接部３６に取り付けてもよい。
【００４３】
【発明の効果】
以上で説明したように、本発明の建物の換気通路用キャップ装置では、水切り部材がキャップ本体に対して着脱可能となっているので、水切り部材が必要な場合は取り付け、不要な場合は取り外してキャップ本体だけを取り付ければよく、１種類のキャップ本体を状況に応じて使い分けができる。
また、１種類のキャップ本体と１種類の水切り部材とを用意しておけばよく、水切り部材付きの換気通路用キャップ装置と、水切り部材なしの換気通路用キャップ装置との２種類を製作しなくてもよいので、製作や管理が容易となる。
【図面の簡単な説明】
【図１】本発明の一実施形態に係る建物の換気通路用キャップ装置が使用されたユニット式建物を示す断面図である。
【図２】本実施形態の建物の換気通路用キャップ装置を示す全体図である。
【図３】本実施形態の建物の換気通路用キャップ装置を示す分解斜視図である。
【図４】本実施形態の建物の換気通路用キャップ装置の要部を示す斜視図である。
【符号の説明】
１  建物の換気通路用キャップ装置
２  ユニット式建物
１２  建物の外壁
１９  建物の換気通路である換気ダクト
２５  キャップ本体であるベントキャップ
２５Ａ  開口部
２６  挿入部
２７  フランジ部
２７Ａ  周縁部
２８  フードカバー部
３５  水切り部材
３６  当接部
３７  受け部
４０  防水弾性部材
４１  両面テープ
【図１】
0003741483.tif 000002
【図２】
0003741483.tif 000003
【図３】
0003741483.tif 000004
【図４】
0003741483.tif 000005